(57)【要約】【課題】排泄物の吸収に起因して生じる尿臭等の臭気を、香料によって効果的に抑制し得る吸収性物品を提供すること。【解決手段】吸収性物品１の吸収体４は、吸収性コア４０と、それを被覆する被覆シート４４とを備える。吸収性コア４０に高吸収性ポリマーが含まれている。高吸収性ポリマーに抗菌剤が含まれている。被覆シート４４に香料が含まれている。吸収性コア４０の表面に、高吸収性ポリマーが非存在であるポリマー非存在領域を有することも好適である。【選択図】図１
2018102910.tif 000002
【特許請求の範囲】
【請求項１】
表面シートと、裏面シートと、両シート間に配置された吸収体とを有する吸収性物品であって、
前記吸収体は、吸収性コアと、該吸収性コアを被覆する被覆シートとを備え、
前記吸収性コアに高吸収性ポリマーが含まれており、
前記高吸収性ポリマーに抗菌剤が含まれており、
前記被覆シートに香料が含まれている吸収性物品。
【請求項２】
前記吸収性コアは、その表面に、前記高吸収性ポリマーが非存在であるポリマー非存在領域を有する請求項１に記載の吸収性物品。
【請求項３】
前記被覆シートを１枚用い、該被覆シートは、その左右の側縁域が互いに重なり合って重なり部を形成するように、前記吸収性コアを被覆しており、それによって前記吸収性コアの肌対向面、非肌対向面及び両側面が該被覆シートによって被覆されている請求項１又は２に記載の吸収性物品。
【請求項４】
前記被覆シートの全域に前記香料が含まれている請求項３に記載の吸収性物品。
【請求項５】
前記吸収体は、前記吸収性コアの側面と、前記被覆シートとの間に、両者が離間して画成された空間を有する請求項１ないし４のいずれか一項に記載の吸収性物品。
【請求項６】
請求項４に記載の吸収性物品の製造方法であって、
前記被覆シートの全域に香料を含ませる工程を備える吸収性物品の製造方法。
【発明の詳細な説明】
【技術分野】
【０００１】
本発明は、吸収性物品に関する。
【背景技術】
【０００２】
使い捨ておむつ、失禁パッド及び生理用ナプキンなどの各種の吸収性物品においては、吸収した排泄物から生ずる臭気が知覚されないようにする目的で、該吸収性物品に香料を施して臭気をマスキングすることがしばしば行われている。
【０００３】
香料によるマスキング効果を高める目的で、香料は一般に吸収性物品における吸収体に施されることが多い。しかし、吸収体に吸収された尿等の排泄物が香料と混ざり合うことで別の臭いが発生し、香料によるマスキング効果が低下する場合がある。
【０００４】
吸収性物品に吸収保持された排泄物から生ずる臭気を香料によるマスキングで抑制する従来の技術として、例えば特許文献１には、吸収層と表面シートとの間に、第４級アンモニウム塩の抗菌剤と香料とを含む機能性材料が配置された機能性材料領域を設けた吸収性物品が提案されている。この構成を採用することによって、着用者から排出された体液が表面シート側から吸収層側に導かれる過程で抗菌剤に触れ、また吸収層に一旦吸収された体液が表面シート側に漏れ出した場合においても、体液が抗菌剤に触れるので、体液を吸収した吸収時のみならず、体液を吸収した後においても、抗菌機能を発揮することできると、同文献には記載されている。
【先行技術文献】
【特許文献】
【０００５】
【特許文献１】特開２０１６−６７７４９号公報
【発明の概要】
【発明が解決しようとする課題】
【０００６】
しかし、生活の質の一層の向上化の要求は益々高くなってきており、吸収性物品に要求される臭気の抑制効果も、これまでよりも高いレベルが要求されている。したがって、特許文献１に記載の技術を超える高い消臭の抑制効果が必要である。
【０００７】
したがって本発明の課題は、賦香された吸収性物品の改良にあり、更に詳しくは排泄物の吸収に起因して生じる臭気を効果的に抑制し得る吸収性物品を提供することにある。
【課題を解決するための手段】
【０００８】
本発明は、表面シートと、裏面シートと、両シート間に配置された吸収体とを有する吸収性物品であって、
前記吸収体は、吸収性コアと、該吸収性コアを被覆する被覆シートとを備え、
前記吸収性コアに高吸収性ポリマーが含まれており、
前記高吸収性ポリマーに抗菌剤が含まれており、
前記被覆シートに香料が含まれている吸収性物品を提供するものである。
【発明の効果】
【０００９】
本発明によれば、排泄物の吸収に起因して生じる尿臭等の臭気を効果的に抑制し得る吸収性物品が提供される。
【図面の簡単な説明】
【００１０】
【図１】図１は、本発明の吸収性物品の一実施形態を示す、長手方向に沿う中央域で幅方向に沿って切断したときの厚み方向断面図である。
【図２】図２は、図１に示す吸収性物品の吸収体における吸収性コアを、その非肌対向面を上側に向けた状態での斜視図である。
【図３】図３は、図１に示す吸収性物品の吸収体における吸収性コアの長手方向に沿う中央域での幅方向に沿う厚み方向断面図である。
【図４】図４（ａ）は、目的の臭い分子が嗅覚受容体を活性化させる機序を示す模式図であり、図４（ｂ）は、嗅覚受容体アンタゴニズムによって、目的の臭い分子に対する受容体の活性化が阻害される機序を示す模式図である。
【図５】図５は、嗅覚受容体のｐ−クレゾールに対する応答を測定したルシフェラーゼアッセイの結果である。横軸は個々の嗅覚受容体、縦軸は応答強度を示す（ｎ＝２）。
【図６】図６は、種々の濃度のｐ−クレゾールに対する嗅覚受容体の応答を測定したルシフェラーゼアッセイの結果である。それぞれｎ＝３〜４、エラーバー＝±ＳＥである。
【図７】図７は、嗅覚受容体の２−メトキシ−４−ビニルフェノールに対する応答を測定したルシフェラーゼアッセイの結果である。横軸は個々の嗅覚受容体、縦軸は応答強度を示す（ｎ＝２）。
【図８】図８は、種々の濃度の２−メトキシ−４−ビニルフェノールに対する嗅覚受容体の応答を測定したルシフェラーゼアッセイの結果である。それぞれｎ＝３〜４、エラーバー＝±ＳＥである。
【図９】図９は、Ｎｅｃｔａｒｙｌ及びＢｏｕｒｇｅｏｎａｌによる嗅覚受容体ＯＲ９Ｑ２の応答の抑制効果を測定したルシフェラーゼアッセイの分析結果である。横軸はＮｅｃｔａｒｙｌ（左）及びＢｏｕｒｇｅｏｎａｌ（右）の濃度、縦軸はｐ−クレゾール単独に対するＯＲ９Ｑ２の応答強度を１００％とした時の、Ｎｅｃｔａｒｙｌ又はＢｏｕｒｇｅｏｎａｌ存在下での応答強度の割合（％）（３回の測定の平均値、エラーバー＝標準誤差）を示す。
【図１０】図１０は、ＯＲ９Ｑ２アンタゴニストによる尿臭抑制効果を測定した官能試験の結果である。Ｖｅｈｉｃｌｅ＝ミネラルオイルのみ、ｎ＝１０、エラーバー＝ＳＥＭ、＊＝ｐ＜０．０１（Ｗｉｌｃｏｘｏｎ  Ｓｉｎｅｄ−ｒａｎｋ  ｔｅｓｔ）である。
【発明を実施するための形態】
【００１１】
以下に、本発明をその好ましい実施形態に基づき図面を参照しながら説明する。図１に示す吸収性物品１は、肌対向面側に配置された表面シート２、非肌対向面側に配置された裏面シート３、及び両シート２，３間に介在された吸収体４を具備しており、長手方向と幅方向とを有する一方向に長い形状をしている。吸収性物品１は、長手方向の両側部に、撥水性シート６と該撥水性シート６に固定された弾性部材６１とを含む立体ギャザー５を備えている。立体ギャザー５は、着用時に着用者側に向かって起立する。
【００１２】
本明細書において吸収性物品の長手方向と言うときは、着用時に着用者の前後方向と一致する方向を意味する。吸収性物品の幅方向と言うときは、該長手方向と略直交する方向を意味する。図１中、符号Ｙで示す方向（Ｙ方向）は、吸収性物品（吸収体、吸収性コア、立体ギャザー）の幅方向である。また本明細書において、吸収性物品の厚み方向は、図１中、Ｚで示す方向である。また、肌対向面は、吸収性物品における、吸収性物品の着用時に着用者の肌側に向けられる面であり、非肌対向面は、吸収性物品における、吸収性物品の着用時に肌側とは反対側（通常、衣類側）に向けられる面である。
【００１３】
吸収性物品１における表面シート２は液透過性である。表面シート２の片面は、吸収性物品１の肌対向面を構成している。一方、裏面シート３は、液不透過性又は液難透過性を有している。裏面シート３の片面は、衣類側に向けられる吸収性物品１の非肌対向面側の面を構成している。表面シート２、裏面シート３及び吸収体４は、それぞれ吸収性物品１の長手方向と同方向に長い形状を有している。
【００１４】
吸収性物品１の裏面シート３側の面（非肌対向面）には、吸収性物品１の具体的な用途に応じて、粘着剤層１０が設けられていてもよい。粘着剤層１０は、吸収性物品１の着用状態において、該吸収性物品１を、下着や別の吸収性物品に固定するために用いられる。
【００１５】
吸収体４は、表面シート２及び裏面シート３間に挟持固定されている。表面シート２の長手方向に沿う両側部は、吸収体４の非肌対向面側に巻き下げられ、吸収体４と裏面シート３との間において、吸収体４及び／又は裏面シート３と接合されている。
【００１６】
吸収体４は、吸収性コア４０を、ティッシュペーパーや透水性の不織布からなる液透過性の被覆シート４４で被覆して構成されている。被覆シート４４は、吸収性コア４０の肌対向面の全域を被覆していることが好ましい。また、被覆シート４４は、吸収性コア４０の非肌対向面の全域も被覆していることが好ましい。更に、被覆シート４４は、吸収性コア４０の左右の側面の全域も被覆していることが好ましい。図１に示す実施形態では、被覆シート４４を１枚用い、該被覆シート４４で、吸収性コア４０の肌対向面、非肌対向面及び両側面を被覆している。被覆シート４４は、その左右の側縁域が互いに重なり合って重なり部４４Ａを形成するように、吸収性コア４０を被覆している。図１に示す実施形態では重なり部４４Ａは、吸収性コア４０における非肌対向面に形成されている。
【００１７】
吸収体４は、吸収性コア４０の側面４０Ｓと、被覆シート４４との間に、両者が離間して画成された空間４６を有している。この空間４６は、吸収性物品１の着用前の状態において存在しており、好ましくは吸収性物品１の着用状態においても存在している。吸収性物品１の着用前の状態において、吸収性コア４０の側面４０Ｓと、被覆シート４４との間の距離は、１ｍｍ以上であることが好ましく、２ｍｍ以上であることが更に好ましく、３ｍｍ以上であることが一層好ましい。また、１０ｍｍ以下であることが好ましく、７ｍｍ以下であることが更に好ましく、５ｍｍ以下であることが一層好ましい。具体的には、吸収性物品１の着用前の状態において、吸収性コア４０の側面４０Ｓと、被覆シート４４との間の距離は、１ｍｍ以上１０ｍｍ以下であることが好ましく、２ｍｍ以上７ｍｍ以下であることが更に好ましく、３ｍｍ以上５ｍｍ以下であることが一層好ましい。
【００１８】
吸収体４における被覆シート４４と表面シート２との間には、ドット、スパイラル又はストライプ等のパターンでホットメルト粘着剤等の接着剤（図示せず）が塗工されており、それによって両者が互いに接合されている。吸収体４における被覆シート４４と裏面シート３との間にも同様に接着剤（図示せず）が塗工されており、それによって両者が互いに接合されている。
【００１９】
吸収性物品１は、図１に示すように、その長手方向に沿う両側部に、着用者側に起立する一対の立体ギャザー５，５を備えている。立体ギャザー５は、表面シート２で覆われた吸収体４の両側に配されている。具体的には、吸収性物品１の長手方向に沿う両側部それぞれには、該長手方向のほぼ全長にわたって、一定の幅を有する立体ギャザー形成用の一対の撥水性シート６，６が配されている。各撥水性シート６は、その長手方向に沿って延びる折曲部が形成されるように二つ折りされている。二つ折りされた撥水性シート６は、その長手方向に沿って延びる二つの側縁部が、表面シート２とともに吸収体４の裏側に配され、表面シート２とともに裏面シート３に接合されている。それによって、立体ギャザー５の固定端部５３が形成されている。立体ギャザー５の自由端部６２は、二つ折りされた撥水性シート６の折曲部からなる。立体ギャザー５の自由端部６２側は、長手方向に沿って幅方向Ｙの外側に向けて折り返されている。これにより、立体ギャザー５の自由端部６２は、吸収性物品１の長手方向に延びる中心線（図示せず）から見て、幅方向Ｙの外側、すなわち吸収性物品１の側縁１ａ側を向くようになる。
【００２０】
立体ギャザー５の自由端部６２近傍には、１本又は複数本の弾性部材６１（図１では２本）が長手方向に延びるように配されている。弾性部材６１は伸長状態で撥水性シート６に固定されている。弾性部材６１は、立体ギャザー５の長手方向のほぼ全長にわたり設けられている。
【００２１】
吸収性物品１は、長手方向の中央域に、肌対向面側の面が窪んで形成された圧搾溝７を有している。圧搾溝７は、吸収性物品１の長手方向に延び、該吸収性物品１を左右に二等分する中心線（図示せず）の両側に、一本ずつ配されている。各圧搾溝７は、吸収性物品１の長手方向に沿って延びている。長手方向に沿って延びているという表現には、圧搾溝７が直線状に延びている場合の他、圧搾溝７が円弧状又は他の形状を有しているが、概ね長手方向に延びている場合も含まれる。圧搾溝７，７は、前記の中心線に対して対称な形状をしている。圧搾溝７は、例えば幅方向Ｙの外側から前記の中心線側に向かって凸となった緩やかな曲線状（円弧状）に形成することができる。この場合、各圧搾溝７，７どうしが最近接する位置は、吸収性物品１の長手方向に沿う位置のうち、中央位置又はその近傍の位置であることが好ましい。
【００２２】
圧搾溝７，７は、熱を伴うか又は伴わないエンボス、あるいは超音波エンボス等のエンボス加工により常法にしたがって形成することができる。例えば、吸収性物品１の製造工程において、吸収体４の一面上に表面シート２を供給した後、エンボス加工により所定部位を表面シート２側から吸収体４側に向けて凹状に押し込む（圧搾する）ことにより、該所定部位に圧搾溝７を形成することができる。このように圧搾溝７を形成することによって、該圧搾溝７においては、表面シート２と吸収体４とがともに圧搾溝７内に陥没している。圧搾溝７においては、表面シート２及び吸収体４が圧搾と接着剤等により一体化している。圧搾溝７は、平面視において長方形、正方形、菱形、円形、十字等の多数の深窪み部（相対的に深く窪んでいる部分。高エンボス部。）と、浅窪み部（相対的に浅く窪んでいる部分。低エンボス部。）とが、交互に連なって全体として連続線を形成していてもよく、あるいは多数の窪み部が間欠的に配されて形成されていてもよい。
【００２３】
図２には、図１に示す吸収性物品１の吸収体４における吸収性コア４０の斜視図が示されている。同図に示す吸収性コア４０は、これを上下反転させて、その非肌対向面を上面に向けた状態になっている。図３には、吸収性コア４０の幅方向の断面図が示されている。図３に示すとおり、吸収性コア４０は、第１面４０Ａ及び第２面４０Ｂを有している。第１面４０Ａは肌対向面であり、表面シート２又は必要に応じて用いられる中間シート（図示せず）側を向いている。第２面４０Ｂは非肌対向面側であり、裏面シート３側を向いている。
【００２４】
図２及び図３に示すとおり、吸収性コア４０は、相対的に坪量が高く裏面シート３側に向けて突出した凸の形状を有する高坪量部４１と、高坪量部４１に隣接し、且つ相対的に坪量が低く裏面シート３側から表面シート２側に向けて窪んだ低坪量部４２とを有している。高坪量部４１と低坪量部４２とは一体成形されている。吸収性コア４０は、その非肌対向面側に凹凸構造を有しており、且つ肌対向面側が平坦面となっている。吸収性コア４０の非肌対向面側を凹凸構造にすると、吸収性コア４０の幅方向から加わる外力によって吸収性コア４０が柔軟に変形しやすくなる。その結果、吸収性物品１のフィット性が向上する。「一体成形されている」とは、これらの部位が、接着剤や熱融着等の接合手段を介さずに互いに分離不可能に一体化されており、同一の材料から一体的に形成されていることを意味する。これらの部位が一体成形されていると、体液がスムーズに移動し得る連続性を有するようになる。このような構造の吸収性コア４０の製造方法は、例えば特開２０１３−２５５５６７号公報に記載されている。
【００２５】
吸収性コア４０は吸液性材料から構成されている。吸液性材料としては、吸収性物品の技術分野において従来用いられてきたものと同様のものを用いることができる。例えば吸液性材料として各種の繊維材料、具体的には木材パルプ、コットン、麻等の天然繊維；ポリエチレンやポリプロピレン等の合成樹脂からなる合成繊維；アセテートやレーヨン等の半合成繊維等を用いることができる。これらの繊維材料は一種を単独で又は二種以上を組み合わせて用いることができる。本発明において吸収性コア４０には、水を吸収して膨潤し且つ水を保持する性質を有するヒドロゲル材料からなる高吸収性ポリマーが含まれている。特に、図３に示すとおり、最も非肌対向面側に、パルプ単体の層が形成されていること、すなわち高坪量部４１の先端の面に、パルプのみから構成されており高吸収性ポリマーが非存在であるポリマー非存在領域４３を有していることが好ましい。高坪量部４１の先端の面にポリマー非存在領域４３を有していると、おむつ１０の非肌対向面において、高吸収性ポリマーに起因する硬さを低減できるので好ましい。ポリマー非存在領域４３は、高坪量部４１の凸形状の側面及び低坪量部４２の先端の面、すなわち非肌対向面の凹凸構造の表面の全域に存在することが好ましい。同様の理由によって、吸収性コア４０における平坦面である肌対向面も、パルプのみから構成されており高吸収性ポリマーが非存在であるポリマー非存在領域４５を有していることが好ましい。更に同様の理由によって、吸収性コア４０における両側面も、パルプのみから構成されており高吸収性ポリマーが非存在であるポリマー非存在領域を有していることが好ましい。要するに、吸収性コア４０においては、その表面の全域にポリマー非存在領域を有していることが好ましい。ポリマー非存在領域の厚みは、表面から内方に向けて０．１ｍｍ以上１ｍｍ以内であることが好ましい。また、吸収性コア４０の凸部におけるポリマー非存在領域の厚みは、０．１ｍｍ以上が好ましく、０．３ｍｍ以上がより好ましく、また、２ｍｍ以下が好ましく、１ｍｍ以下がより好ましい。このような構造の吸収性コア４０の製造方法は、例えば特開２０１３−２５５５６７号公報に記載されている。
【００２６】
図２に示すとおり、低坪量部４２は、その複数本が吸収性コア４０の長手方向Ｘと平行に延びている。また低坪量部４２は、その複数本が吸収性コア４０の幅方向Ｙと平行に延びている。その結果、低坪量部４２は、吸収性コア４０の長手方向及び幅方向に延びる直交した格子状の形状をしている。そして、低坪量部４２によって形成される格子内に高坪量部４１が位置している。したがって個々の高坪量部４１は低坪量部４２によって区画されており、個々に独立している。各高坪量部４１の形状はほぼ同じであり、平面視して矩形をしており、長手方向Ｘの長さが、幅方向Ｙの長さよりも大きくなっている。一方、低坪量部４２に関しては、該低坪量部４２が吸収性コア４０の長手方向Ｘ及び幅方向Ｙに延びて互いに連結しており連続体となっている。吸収性コア４０の長手方向Ｘに延びる低坪量部４２の幅と、吸収性コア４０の幅方向Ｙに延びる低坪量部４２の幅とは同じであってもよく、あるいは異なっていてもよい。
【００２７】
以上のとおり、吸収性コア４０は、坪量が相対的に高い複数の高坪量部４１と、坪量が相対的に低い低坪量部４２とからなるブロック構造を有しており、且つ各高坪量部４１の周囲はその全域にわたって低坪量部４２によって囲まれて個々に独立しているブロック構造を形成している。更に、ブロック構造の最外周は、低坪量部４２によって囲まれている。ブロック構造の最外周に位置している低坪量部４２の角部は、外方に向けて凸の曲線を描く丸みを帯びていることが好ましい。高坪量部４１及び低坪量部４２からなるブロック構造は、吸収性コア４０の長手方向Ｘの全域及び幅方向Ｙの全域にわたって形成されている。
【００２８】
高坪量部４１と低坪量部４２とからなるブロック構造を有することで、吸収性コア４０は、その長手方向Ｘ及び幅方向Ｙの双方に柔軟なものとなり、そのことに起因して吸収性コア４０は着用者の身体の形状に沿いやすくなる。更に、排泄された液が、厚みの薄い低坪量部に案内されて流れることで、吸収性コア４０の長手方向及び幅方向の拡散性を向上させることができる。
【００２９】
高坪量部４１の坪量に対する低坪量部４２の坪量は、その下限値が好ましくは２０％以上であり、更に好ましくは３０％以上である。上限値は好ましくは８０％以下であり、更に好ましくは７０％以下である。高坪量部４１自体の坪量は、その下限値が好ましくは３００ｇ／ｍ2以上であり、更に好ましくは３５０ｇ／ｍ2以上である。上限値は好ましくは９００ｇ／ｍ2以下であり、更に好ましくは８００ｇ／ｍ2以下である。低坪量部４２に関しては、その坪量の下限値が好ましくは１００ｇ／ｍ2以上であり、更に好ましくは１５０ｇ／ｍ2以上である。上限値は好ましくは５００ｇ／ｍ2以下であり、更に好ましくは４００ｇ／ｍ2以下である。坪量は、特開２０１３−２５５５６７号公報の段落〔００２７〕に記載の方法に従い測定される。
【００３０】
高坪量部４１は、低坪量部４２よりも坪量が大きいだけでなく、厚みも大きくなっている。高坪量部４１の厚みに対する低坪量部４２の厚みは、その下限値が好ましくは３０％以上であり、更に好ましくは４０％以上である。上限値は好ましくは９０％以下であり、更に好ましくは８０％以下である。高坪量部４１自体の厚みは、その下限値が好ましくは２ｍｍ以上であり、更に好ましくは３ｍｍ以上である。上限値は好ましくは８ｍｍ以下であり、更に好ましくは７ｍｍ以下である。低坪量部４２に関しては、その厚みの下限値が好ましくは１．５ｍｍ以上であり、更に好ましくは２．５ｍｍ以上である。上限値は好ましくは４．５ｍｍ以下であり、更に好ましくは４ｍｍ以下である。高坪量部４１、低坪量部４２（長手方向Ｘ、幅方向Ｙ）の厚みは、特開２０１３−２５５５６７号公報の段落〔００２８〕に記載の方法に従い測定される。
【００３１】
高坪量部４１の厚みと低坪量部４２の厚みとが異なっていることに起因して、吸収性コア４０における非肌対向面においては、高坪量部４１からなる複数の凸部５１と、低坪量部４２からなる凹部５２Ｘ，５２Ｙとからなる凹凸構造が形成されている。そして図２に示すとおり、吸収性コア４０の長手方向Ｘに延びる凹部５２Ｘの端部が、吸収性コア４０の長手方向Ｘにおける端縁４０Ｙにまで達している。また、幅方向Ｙに延びる凹部５２Ｙの端部が、吸収性コア４０の幅方向Ｙにおける側縁４０Ｘにまで達している。
【００３２】
吸収性コア４０に含まれる高吸収性ポリマーには、抗菌剤が含まれていることが好ましい。つまり高吸収性ポリマーに抗菌作用を付与することが好ましい。高吸収性ポリマーが抗菌作用を有することで、該高吸収性ポリマーが尿等の排泄物を吸収保持したときに、該排泄物が腐敗しづらくなるので、臭いの発生を抑制できるという有利な効果が奏される。特に、上述したとおり、吸収性コア４０の表面にポリマー非存在領域４３，４５が存在することによって、つまり、高吸収性ポリマーを吸収性コア４０の内部に存在させることによって、該高吸収性ポリマーが保持している排泄物からの臭いの発生を一層抑制することができる。
【００３３】
本発明において使用される抗菌剤は、特に制限はないが、高吸収性ポリマーに長期的且つ持続的な抗菌作用を付与する観点から、疎水性抗菌剤を用いることが好ましい。疎水性抗菌剤の例として、ピロクトンオラミン（別名ピロクトンエタノールアミン）等のヒドロキサム酸誘導体、ピロミド酸、ピペミド酸、シノキサシン等のピリドンカルボン酸誘導体、セチルリン酸ベンザルコニウム等の四級アンモニウム化合物が挙げられ、これらの１種を単独で又は２種以上を組み合わせて用いることができる。高吸収性ポリマーに抗菌剤を含ませる方法は、例えば特開２０１６−１０４１１９号公報に記載の抗菌性微粒子を高吸収性ポリマーに付着させる方法が挙げられる。
【００３４】
吸収性物品１においては、吸収性コア４０に含まれる高吸収性ポリマーに抗菌剤が含まれていることに加えて、吸収性コア４０を被覆する被覆シート４４に香料が含まれている。換言すれば、臭いの発生源である高吸収性ポリマーよりも外側に香料が配置されている。このように香料を配置することで、高吸収性ポリマーに保持されている排泄物から発生する臭いが着用者や周囲の者に到達する前に、香料が先に着用者や周囲の者に到達するので、香料に起因する臭いの抑制効果が顕著なものとなる。
【００３５】
特に、被覆シート４４が、図１に示すとおり１枚のシートからなり、１枚の被覆シート４４の左右の側縁域が互いに重なり合って重なり部４４Ａを形成するように、吸収性コア４０を被覆していると、吸収体４の全体から香気が生じるので、香料に起因する臭いの抑制効果が一層顕著なものとなる。この観点から、被覆シート４４は、その全域に香料が含まれていることが好ましい。被覆シート４４の全域に香料が含まれているとは、被覆シート４４に隙間なく連続して香料が含まれている場合だけでなく、香料は不連続に含まれているものの、巨視的には被覆シート４４の全域にわたって満遍なく香料が含まれている場合も包含する。そのような場合とは、例えば被覆シート４４の全域にわたって散点状、ストライプ状、スパイラル状又は市松模様状等に香料が含まれている場合が挙げられる。
【００３６】
また、吸収性コア４０を被覆している被覆シート４４の全域に香料が含まれている場合、吸収体４を構成する被覆シート４４の表面シート２側及び裏面シート３側に香料が含まれることになる。被覆シート４４の表面シート２側に香料が含まれていることにより、排泄物が透過する側である表面シート２側から生ずる排泄物の臭いの抑制効果を顕著なものとすることができる。また、被覆シート４４の裏面シート３側に香料が含まれていることにより、裏面シート３側からの排泄物の臭いの抑制効果も顕著なものとすることができる。
【００３７】
ところで、高吸収性ポリマーには消臭効果があることが知られている。このため、高吸収性ポリマーの近傍に香料が存在していると、該香料の香気も高吸収性ポリマーに吸収されてしまうので、香料に起因する臭いの抑制効果が減殺されることがある。しかし、本実施形態においては、香料は、高吸収性ポリマーが存在している部材である吸収性コア４０を被覆する部材である被覆シート４４に含まれているので、香気が高吸収性ポリマーに吸収されにくく、そのことに起因して香気が長時間にわたって持続するという利点がある。
【００３８】
また、吸収性物品１においては、被覆シート４４と表面シート２とがホットメルト粘着剤等の接着剤で固定されているとともに、被覆シート４４と裏面シート３とがホットメルト粘着剤等の接着剤で固定されている。このように、被覆シート４４と表面シート２及び裏面シート３との間にホットメルト粘着剤等の接着剤が介在しているので、被覆シート４４が表面シート２及び裏面シート３と直接に接することが阻止されている。その結果、被覆シート４４に含まれている香料が意図せず表面シート２及び裏面シート３に移行することが効果的に防止される。それによって、被覆シート４４に含まれている香料による臭いの抑制効果が更に一層顕著なものとなる。しかも、吸収体４においては、吸収性コア４０と被覆シート４４とはホットメルト粘着剤等の接着剤によって接合されておらず、両者が非接合の状態になっているので、被覆シート４４に含まれている香料が吸収性コア４０に移行しやすくなっている。そのことによっても被覆シート４４に含まれている香料による臭いの抑制効果が更に一層顕著なものとなる。
【００３９】
更に、吸収性物品１においては、吸収性コア４０の側面４０Ｓと、被覆シート４４との間に空間４６が存在していることから、被覆シート４４に含ませた香料を、該空間４６によって吸収体４の長手方向の全域にわたって容易に拡散させることができる。そのことによっても被覆シート４４に含まれている香料による臭いの抑制効果が更に一層顕著なものとなる。この空間４６が吸収性物品１の着用状態においても維持されていると、香料による臭いの抑制効果が極めて顕著なものとなる。
【００４０】
被覆シート４４に香料を含ませる方法としては、例えば、使用される香料を適当な溶媒（例えば水、エタノール、低分子炭化水素類、多価アルコール類、液体ＬＰＧガス、ジメチルエーテル等）に希釈したものや原液そのものを、被覆シート４４に塗布、噴霧又は含浸させて塗工する方法等が挙げられる。
【００４１】
本発明で用いられる香料としては、大気圧下で香気を大気中に蒸散し得るものであればよく、常温常圧の環境下で、その香気を知覚し得る通常の香料を特に制限なく用いることができ、当該技術分野において従来用いられてきたものと同様のものも用いることができる。例えば、香料としては、沸点が約２５０℃以下の高揮発性香料成分、又は沸点が約２５０〜約３００℃の中揮発性香料成分が好ましく用いられる。
【００４２】
前記高揮発性香料成分としては、例えばアニソール、ベンズアルデヒド、酢酸ベンジル、ベンジルアルコール、ギ酸ベンジル、酢酸イソボルニル、シトロネラール、シトロネロール、酢酸シトロネリル、パラシメン、デカナール、ジヒドロリナロール、ジヒドロミルセノール、ジメチルフェニルカルビノール、ユーカリプトール、１−カルボン、ゲラニアール、ゲラニオール、酢酸ゲラニル、ゲラニルニトリル、酢酸ネリル、酢酸ノニル、リナロール、エチルリナロール、酢酸リナリル、フェニルエチルアルコール、α−ピネン、β−ピネン、γ−ピネン、α−ヨノン、β−ヨノン、γ−ヨノン、α−テルピネオール、β−テルピネオール、酢酸テルピニル、テンタローム等が挙げられ、これらの１種を単独で又は２種以上を組み合わせて用いることができる。
【００４３】
前記中揮発性香料成分としては、例えばアミルシンナムアルデヒド、ジヒドロジャスモン酸メチル、サリチル酸イソアミル、β−カリオフィレン、セドレン、セドリルメチルエーテル、桂皮アルコール、クマリン、ジメチルベンジルカルビニルアセテート、イソオイゲノール、γ−メチルヨノン、ヘリオトロピン、サリチル酸ヘキシル、サリチル酸シス−３−ヘキセニル、フェニルヘキサノール、ペンタライド等が挙げられ、これらの１種を単独で又は２種以上を組み合わせて用いることができる。
【００４４】
香料としては、前述の高揮発性及び中揮発性香料成分以外に、あるいはこれら香料成分に加えて更に、バラ香調、ラベンダー香調、ジャスミン香調、イランイラン香調を有する香料を含有した香料組成物を用いることもできる。かかる香料組成物としては、例えば、ネロール、ラバンジュロール、ジャスマール、シクロピデン等が挙げられ、これらの１種を単独で又は２種以上を組み合わせて用いることができる。
【００４５】
また、香料には、前述した香料組成物の単体、及び天然精油や調合ベースのように、「複数の香料によって構成される香料素材が組み合わされたもの（香料組成物）で、溶剤によって希釈・調整されたもの」が含まれる。例えば、香料として、バラ、ラベンダー、ジャスミン、イランイラン様香気を有する香料を含有する香料組成物を用いることができる。
【００４６】
特に、香料は、尿臭成分に起因するヒトの嗅覚受容体の活性化を阻害する物質（以下、この物質のことを「アンタゴニスト香料」とも言う。）を含むことが好ましい。アンタゴニストとは、結合部位を奪い合うことで作用を阻害する競合的拮抗薬のことであり、アンタゴニスト香料とは、図４（ａ）に示すとおり、結合部位が嗅覚受容体２０である場合に、目的の臭い分子２１が嗅覚受容体２０に結合して該受容体２０が活性化して臭い情報が伝達されるときに、図４（ｂ）に示すとおり、目的の臭い分子２１を他の分子２２とともに適用することにより、当該他の分子２２によって目的の臭い分子２１に対する受容体の活性化を阻害し、結果的に個体に認識される臭いを抑制するために用いられる当該他の分子のことである。つまり、アンタゴニスト香料を用いることで、嗅覚受容体アンタゴニズムによる臭いの抑制を達成することができる。このように、アンタゴニスト香料を用いることで、該アンタゴニスト香料自体の香気が強くなくても、高い尿臭の抑制効果が発現する。
【００４７】
嗅覚受容体アンタゴニズムによる臭いの抑制は、同様に他の分子を用いる手段であっても、芳香剤による消臭のように、目的の臭いを香料の香気によって隠蔽（マスキング）する手段とは区別される。嗅覚受容体アンタゴニズムによる臭いの抑制の一例は、アンタゴニスト等の嗅覚受容体の活性化を阻害する物質を使用するケースである。特定の臭いをもたらす臭い分子の受容体にその活性化を阻害する物質を適用すれば、当該受容体の当該臭い分子に対する活性化が阻害されるため、最終的に個体に知覚される臭いを抑制することができる。
【００４８】
尿臭成分としては、ｐ−クレゾール及び２−メトキシ−４−ビニルフェノールが代表的なものとして知られている。これらの物質の臭いを嗅覚受容体アンタゴニズムによって抑制することが、効果的な臭気の抑制の点から好ましい。ｐ−クレゾール及び２−メトキシ−４−ビニルフェノールは、放尿又は採尿後時間が経った尿又は飛び散って乾燥した尿から発せられる臭い、あるいは使用後放置した吸収性物品から発せられる尿の臭いの代表的なものである。
【００４９】
本明細書において、「尿臭」とは、好適には、放尿又は採尿後時間が経った尿から発せられる臭いである。例えば、本明細書における「尿臭」は、飛び散って乾燥した尿の臭い又は使用後放置した吸収性物品から発する尿の臭いであり得る。また好適には、本明細書における「尿臭」は、βグルクロニダーゼ処理された尿又はその抽出物の臭いである。
【００５０】
特に、アンタゴニスト香料は、ヒトの嗅覚受容体としてのＯＲ９Ｑ２、ＯＲ１０Ｇ４、ＯＲ１０Ｇ７、ＯＲ２Ｗ１、ＯＲ４Ｓ２、ＯＲ５Ｐ３、ＯＲ１Ａ１、ＯＲ５Ｋ１又はＯＲ８Ｈ１の活性化を阻害する物質のいずれかであることが好ましい。これによって尿臭成分に対する活性が一層抑制され、最終的に個体に知覚される臭いを更に一層抑制することができる。これらの嗅覚受容体のうち、ＯＲ９Ｑ２、ＯＲ２Ｗ１、ＯＲ４Ｓ２又はＯＲ５Ｐ３にアンタゴニスト香料を適用することで、ｐ−クレゾールに対して特異的に臭いの抑制効果が発揮される。また、ＯＲ１０Ｇ４、ＯＲ１０Ｇ７、ＯＲ１Ａ１、ＯＲ２Ｗ１、ＯＲ５Ｋ１、ＯＲ５Ｐ３又はＯＲ８Ｈ１にアンタゴニスト香料を適用することで、２−メトキシ−４−ビニルフェノールに対して特異的に臭いの抑制効果が発揮される。
【００５１】
本発明において、特に好ましく用いられるアンタゴニスト香料としては、例えばＯＲ９Ｑ２に結合し得る以下の化合物が挙げられる。これらの化合物は１種を単独で、又は２種以上を組み合わせて用いることができる。
・３−（４−ｔｅｒｔ−ブチルフェニル）プロパナール（Ｂｏｕｒｇｅｏｎａｌ）
・３，７，１１−トリメチルドデカ−１，６，１０−トリエン−３−オール（Ｎｅｒｏｌｉｄｏｌ）
・メチルセドリルケトン（１−［（１Ｓ，２Ｒ，５Ｒ，７Ｓ）−２，６，６，８−ｔｅｔｒａｍｅｔｈｙｌｔｒｉｃｙｃｌｏ［５．３．１．０１，５］ｕｎｄｅｃ−８−ｅｎ−９−ｙｌ］ｅｔｈａｎｏｎｅ；Ａｃｅｔｙｌｃｅｄｒｅｎｅ）
・１−（２−ｔｅｒｔ−ブチルシクロヘキシル）オキシブタン−２−オール（Ａｍｂｅｒｃｏｒｅ）
・２，２，７，７−テトラメチルトリシクロ［６．２．１．０１，６］ウンデカン−５−オン（ｉｓｏ−Ｌｏｎｇｉｆｏｌａｎｏｎｅ）
・２−（２−（４−メチル−３−シクロヘキセン−１−イル）プロピル）シクロペンタノン）（Ｎｅｃｔａｒｙｌ）
【００５２】
本発明においてアンタゴニスト香料として、ＯＲ２Ｗ１に結合し得る以下の化合物も好ましく挙げられる。
・（３Ｒ，３ａＳ，６Ｓ，７Ｒ，８ａＳ）−Ｏｃｔａｈｙｄｒｏ−６ｍｅｔｈｏｘｙ−３，６，８，８，−ｔｅｔｒａｍｅｔｈｙｌ−１Ｈ−３ａ，７−ｍｅｔｈａｎｏａｚｕｌｅｎｅ（ＭｅｔｈｙｌＣｅｄｒｙｌ Ｅｔｈｅｒ）
【００５３】
本発明においてアンタゴニスト香料として、ＯＲ１０Ｇ４に結合し得る以下の化合物も好ましく挙げられる。
・５−メチル−２−（１−メチルエチル）−フェノール（Ｔｈｙｍｏｌ）
【００５４】
本発明においてアンタゴニスト香料として、ＯＲ１０Ｇ７に結合し得る以下の化合物も好ましく挙げられる。
・２−メチルウンデカナール（Ａｌｄｅｈｙｄｅ  Ｃ−１２  ＭＮＡ）
・Ｂｅｎｚｏｉｎ  Ｓｉａｍ
【００５５】
上述したＯＲ９Ｑ２アンタゴニスト香料、ＯＲ２Ｗ１アンタゴニスト香料、ＯＲ１０Ｇ４アンタゴニスト香料及びＯＲ１０Ｇ７アンタゴニスト香料は、これまで香料素材として知られていたが、これらの嗅覚受容体に対するアンタゴニスト作用を有することや、ｐ−クレゾール臭を始めとする尿臭を選択的に抑制する機能があることは知られていなかった。本発明において香料は、上述した化合物より選択される少なくとも１種を有効成分とするアンタゴニスト香料であることが好ましい。
【００５６】
上述した各種の嗅覚受容体に対するアンタゴニスト香料は、いずれも市販のものを購入して使用することができる（「合成香料化学と商品知識」増補改訂版、印藤元一著、化学工業日報社、 ２００５年３月発行を参照）。例えば、ＯＲ９Ｑ２アンタゴニスト香料は、Ｆｉｒｍｅｎｉｃｈ  Ｓ．  Ａ．，Ｇｉｖａｕｄａｎ  Ｓ． Ａ．，Ｉｎｔｅｒｎａｔｉｏｎａｌ  Ｆｌａｖｏｒｓ  ＆  Ｆｒａｇｒａｎｃｅｓ  Ｉｎｃ．，ＳＩＧＭＡ−ＡＬＤＲＩＣＨ  Ｃｏｒｐｏｒａｔｉｏｎ、高砂香料工業株式会社、花王株式会社などから入手することが可能である。あるいは、化学合成によって、該市販品と同一物質又はそれを含む組成物を製造することが可能である。
【００５７】
また、本発明の吸収性物品において、香料の含有量は特に制限されず、所望の消臭性能や吸収性能等に応じて適宜設定することができる。例えば、吸収性物品１枚当たり０．５ｍｇ以上１００ｍｇ以下の香料を含むことができる。特に、香料としてアンタゴニスト香料を用いた場合には、０．１ｍｇ以上５０ｍｇ以下程度の比較的少ない含有量としても、十分な尿臭抑制効果が得られる点で好ましい。
【００５８】
本発明の適用の対象となる吸収性物品は、ヒトの排泄物を吸収保持するために用いられる各種の製品を広く包含する。例えばベビー用及び大人用の使い捨ておむつ、軽失禁用の失禁パッド、大人用の使い捨ておむつの内側に配置して使用される補助パッド、生理用ナプキン及びパンティライナなどが挙げられるが、これらに限られない。
【００５９】
また前記実施形態では、吸収性コア４０の表面の全域にポリマー非存在領域を有していたが、吸収性コア４０はこの構造のものに限られず、例えば吸収性コア４０の肌当接面の全域のみにポリマー非存在領域を有していてもよく、又は吸収性コア４０の非肌対向面の全域のみにポリマー非存在領域を有していてもよい。
【００６０】
更に、前記実施形態では１枚の被覆シート４４によって吸収性コア４０を被覆していたが、これに代えて２枚又はそれ以上の枚数の被覆シートを用いて吸収性コア４０を被覆してもよい。２枚又はそれ以上の枚数の被覆シートを用いる場合には、少なくとも１枚の被覆シートに香料を含ませればよい。
【００６１】
前記実施形態の吸収性物品１は、例えば以下のような製造方法によって製造することができる。まず、抗菌剤を含む高吸収性ポリマーを有する吸収性コア１を製造する。吸収性コア１は、当該技術分野において知られている種々の方法により製造することができる。これとは別に、被覆シート４４に香料を含ませる。そして、吸収性コア１を被覆シート４４で被覆し、吸収体４を製造する。被覆シート４４として１枚の被覆シート４４を用いる場合は、該被覆シート４４の左右の側縁域が互いに重なり合って重なり部４４Ａを形成するように吸収性コア４０を被覆することが好ましい。このようにして製造した吸収体４の、肌対向面側に表面シート２を配置し、非肌対向面側に裏面シート３を配置することで吸収性物品１を製造することができる。上述のように、被覆シート４４はその全域に香料が含まれていることが好ましい。被覆シート４４の全域に香料を含んだ吸収性物品１を製造するためには、前記被覆シート４４に香料を含ませる工程において、その全域に香料を含ませる工程を備えることが好ましい。
【００６２】
上述した実施形態に関し、本発明は更に以下の吸収性物品を開示する。
＜１＞
表面シートと、裏面シートと、両シート間に配置された吸収体とを有する吸収性物品であって、
前記吸収体は、吸収性コアと、該吸収性コアを被覆する被覆シートとを備え、
前記吸収性コアに高吸収性ポリマーが含まれており、
前記高吸収性ポリマーに抗菌剤が含まれており、
前記被覆シートに香料が含まれている吸収性物品。
【００６３】
＜２＞
前記吸収性コアは、その表面に、前記高吸収性ポリマーが非存在であるポリマー非存在領域を有する前記＜１＞に記載の吸収性物品。
＜３＞
前記被覆シートを１枚用い、該被覆シートは、その左右の側縁域が互いに重なり合って重なり部を形成するように、前記吸収性コアを被覆しており、それによって前記吸収性コアの肌対向面、非肌対向面及び両側面が該被覆シートによって被覆されている前記＜１＞又は＜２＞に記載の吸収性物品。
＜４＞
前記被覆シートの全域に前記香料が含まれている前記＜３＞に記載の吸収性物品。
＜５＞
前記吸収体は、前記吸収性コアの側面と、前記被覆シートとの間に、両者が離間して画成された空間を有する前記＜１＞ないし＜４＞のいずれか１に記載の吸収性物品。
＜６＞
前記被覆シートは、重なり部を形成するように前記吸収性コアを被覆しており、
前記被覆シートの重なり部は、前記吸収性コアにおける非肌対向面に形成されている前記＜１＞ないし＜５＞のいずれか１に記載の吸収性物品。
【００６４】
＜７＞
前記吸収性物品の着用前の状態において、前記吸収性コアの側面と、前記被覆シートとの間の距離は、１ｍｍ以上であることが好ましく、２ｍｍ以上であることが更に好ましく、３ｍｍ以上であることが一層好ましく、１０ｍｍ以下であることが好ましく、７ｍｍ以下であることが更に好ましく、５ｍｍ以下であることが一層好ましく、具体的には、前記吸収性物品の着用前の状態において、前記吸収性コアの側面と、前記被覆シートとの間の距離は、１ｍｍ以上１０ｍｍ以下であることが好ましく、２ｍｍ以上７ｍｍ以下であることが更に好ましく、３ｍｍ以上５ｍｍ以下であることが一層好ましい前記＜１＞ないし＜６＞のいずれか１に記載の吸収性物品。
＜８＞
前記吸収性コアは吸液性材料として繊維材料を有する前記＜１＞ないし＜７＞のいずれか１に記載の吸収性物品。
＜９＞
前記吸収性コアは、相対的に坪量が高く前記裏面シート側に向けて突出した凸の形状を有する高坪量部と、
前記高坪量部に隣接し、且つ相対的に坪量が低く前記裏面シート側から前記表面シート２側に向けて窪んだ低坪量部とを有している前記＜１＞ないし＜８＞のいずれか１に記載の吸収性物品。
＜１０＞
前記吸収性コアの前記高坪量部と前記低坪量部とは一体成形されている前記＜９＞に記載の吸収性物品。
＜１１＞
前記低坪量部は、その複数本が前記吸収性コアの長手方向と平行に延びており、
前記低坪量部は、その複数本が前記吸収性コアの幅方向と平行に延びており、
前記低坪量部は、前記吸収性コアの長手方向及び幅方向に延びる直交した格子状の形状をしている前記＜９＞又は＜１０＞に記載の吸収性物品。
＜１２＞
前記高坪量部の先端の面にポリマー非存在領域を有している前記＜９＞ないし＜１１＞のいずれか１に記載の吸収性物品。
【００６５】
＜１３＞
前記高坪量部の凸形状の側面及び前記低坪量部の先端の面にポリマー非存在領域を有している前記＜９＞ないし＜１２＞のいずれか１に記載の吸収性物品。
＜１４＞
前記吸収性コアは、その非肌対向面側に凹凸構造を有している前記＜１＞ないし＜１３＞のいずれか１に記載の吸収性物品。
＜１５＞
前記非肌対向面の凹凸構造の表面の全域に前記ポリマー非存在領域が存在する前記＜１４＞に記載の吸収性物品。
＜１６＞
前記吸収性コアにおける前記ポリマー非存在領域の厚みは、表面から内方に向けて０．１ｍｍ以上１ｍｍ以内である前記＜１２＞又は＜１５＞に記載の吸収性物品。
【００６６】
＜１７＞
前記吸収性コアは、坪量が相対的に高い複数の高坪量部と、坪量が相対的に低い低坪量部とからなるブロック構造を有している前記＜１＞ないし＜１６＞のいずれか１に記載の吸収性物品。
＜１８＞
前記高坪量部の坪量に対する前記低坪量部の坪量は、その下限値が好ましくは２０％以上であり、更に好ましくは３０％以上であり、上限値は好ましくは８０％以下であり、更に好ましくは７０％以下であり、
前記高坪量部自体の坪量は、その下限値が好ましくは３００ｇ／ｍ2以上であり、更に好ましくは３５０ｇ／ｍ2以上であり、上限値は好ましくは９００ｇ／ｍ2以下であり、更に好ましくは８００ｇ／ｍ2以下であり、
前記低坪量部自体の坪量は、その下限値が好ましくは１００ｇ／ｍ2以上であり、更に好ましくは１５０ｇ／ｍ2以上であり、上限値は好ましくは５００ｇ／ｍ2以下であり、更に好ましくは４００ｇ／ｍ2以下である、前記＜１７＞に記載の吸収性物品。
＜１９＞
前記高坪量部の厚みに対する前記低坪量部の厚みは、その下限値が好ましくは３０％以上であり、更に好ましくは４０％以上であり、上限値は好ましくは９０％以下であり、更に好ましくは８０％以下であり、
前記高坪量部自体の厚みは、その下限値が好ましくは２ｍｍ以上であり、更に好ましくは３ｍｍ以上であり、上限値は好ましくは８ｍｍ以下であり、更に好ましくは７ｍｍ以下であり、
前記低坪量部自体の厚みは、その下限値が好ましくは１．５ｍｍ以上であり、更に好ましくは２．５ｍｍ以上であり、上限値は好ましくは４．５ｍｍ以下であり、更に好ましくは４ｍｍ以下である、前記＜１７＞又は＜１８＞に記載の吸収性物品。
＜２０＞
前記吸収性コアにおける非肌対向面においては、前記高坪量部からなる複数の凸部と、前記低坪量部からなる凹部とからなる凹凸構造が形成され、
前記吸収性コアの長手方向に延びる前記凹部の端部が、前記吸収性コアの長手方向における端縁にまで達しており、
前記吸収性コアの幅方向に延びる凹部の端部が、前記吸収性の幅方向における側縁にまで達している前記＜１７＞ないし＜１９＞のいずれか１に記載の吸収性物品。
＜２１＞
前記被覆シートと前記表面シートとが接着剤で固定されている前記＜１＞ないし＜２０＞のいずれか１に記載の吸収性物品。
【００６７】
＜２２＞
前記被覆シートと前記裏面シートとが接着剤で固定されている前記＜１＞ないし＜２１＞のいずれか１に記載の吸収性物品。
＜２３＞
前記吸収性コアと前記被覆シートとは接着剤によって接合されておらず、両者が非接合の状態になっている前記＜１＞ないし＜２２＞のいずれか１に記載の吸収性物品。
＜２４＞
前記香料が、尿臭成分に起因するヒトの嗅覚受容体の活性化を阻害する物質を含む前記＜１＞ないし＜２３＞のいずれか１に記載の吸収性物品。
＜２５＞
前記香料が、ｐ−クレゾール又は２−メトキシ−４−ビニルフェノールに起因するヒトの嗅覚受容体の活性化を阻害する物質を含む前記＜２４＞に記載の吸収性物品。
＜２６＞
前記嗅覚受容体がＯＲ９Ｑ２、ＯＲ１０Ｇ４、ＯＲ１０Ｇ７、ＯＲ２Ｗ１、ＯＲ４Ｓ２、ＯＲ５Ｐ３、ＯＲ１Ａ１、ＯＲ５Ｋ１及びＯＲ８Ｈ１のいずれかである前記＜２４＞又は＜２５＞に記載の吸収性物品。
【００６８】
＜２７＞
前記香料が、Ｂｏｕｒｇｅｏｎａｌ、Ｎｅｒｏｌｉｄｏｌ、Ａｃｅｔｙｌｃｅｄｒｅｎｅ、Ａｍｂｅｒｃｏｒｅ、ｉｓｏ−Ｌｏｎｇｉｆｏｌａｎｏｎｅ、ＭｅｔｈｙｌＣｅｄｒｙｌ Ｅｔｈｅｒ、Ｎｅｃｔａｒｙｌ、Ｔｈｙｍｏｌ、Ａｌｄｅｈｙｄｅ  Ｃ−１２  ＭＮＡ及びＢｅｎｚｏｉｎ  Ｓｉａｍからなる群より選択されるいずれか１種を有効成分とするアンタゴニスト香料である前記＜２４＞ないし＜２６＞のいずれか１に記載の吸収性物品。
【００６９】
＜２８＞
前記＜４＞に記載の吸収性物品の製造方法であって、
前記被覆シートの全域に香料を含ませる工程を備える吸収性物品の製造方法。
【実施例】
【００７０】
以下、実施例により本発明を更に詳細に説明する。しかしながら本発明の範囲は、かかる実施例に制限されない。
【００７１】
〔実施例１〕
吸収性物品として、花王株式会社の軽失禁パッド５０ｃｃサイズ（ロリエさらピュア吸水ナプキン５０ｃｃ）を用いた。この吸収性物品の吸収性コアを除去し、その代わりに図１ないし図３に示す構造の吸収性コアを配置した。この吸収性コアは、特開２０１３−２５５５６７号公報に記載の方法で製造した。この吸収性コアは、その坪量が４００ｇ／ｍ２であり、非肌対向面側の表面にポリマー非存在領域を有しているものであった。
【００７２】
抗菌剤として、ピロクトンオラミン（クラリアント社製、商品名「オクトピロックス」）を用い、エタノール１０質量部に対してピロクトンオラミン１質量部を溶解させて抗菌剤溶液を調製した。この抗菌剤溶液を、無機微粒子であるシリカ微粒子としての乾式シリカ（日本エアロジル株式会社製、商品名「アエロジル２００」、平均一次粒子径１２ｎｍ、ＢＥＴ比表面積平均２００ｍ２／ｇ）に、シリカ１０質量部に対して該抗菌剤溶液１０質量部となるように滴下して混合し、その混合物を常温で乾燥させて、シリカ微粒子の表面に疎水性抗菌剤が付着している抗菌性微粒子を得た。そして、吸水性ポリマー粒子（日本触媒株式会社製、商品名「アクアリックＣＡ」、平均粒子径３００μｍ）とこの抗菌性微粒子とを、前者１００質量部に対して後者１質量部の割合で混合して、抗菌剤を含む高吸収性ポリマーを得た後、この高吸収性ポリマーを含有する吸収性コアを得た。
【００７３】
香料として以下の表１に示すものを用いた。この香料をティッシュペーパーの全域に塗布した。このティッシュペーパーを、図１に示す態様で吸収性コアの表面に巻き付けて吸収体を得た。
【００７４】
〔比較例１及び２〕
抗菌剤を含まない吸水性ポリマー粒子（アクアリックＣＡ）を含有する吸収性コアを用いた。香料として以下の表１に示すものを用いた。比較例１における香料の塗布量は、実施例とすべて同じとした。
【００７５】
〔比較例３〕
本比較例では、香料を使用しなかった他は、実施例１と同様の吸収性コアを用いた。
【００７６】
〔評価〕
実施例１及び各比較例の吸収体に人尿を各３０ｇ注入し、装着時を想定し各吸収体をそれぞれ密封容器に入れて３６℃で保存した。このように保存した各吸収体に対して、消臭評価と香りの強さ評価を行った。
消臭評価は、初期臭として人尿注入直後の尿臭を、使用後の取り外し時を想定として保存１２時間後の尿臭を、以下の基準により官能で評価した。その結果を以下の表１に示す。
Ａ：尿臭はしない
Ｂ：尿臭がややする
Ｃ：尿臭がする
また、香りの強さは、人尿注入直後の各吸収体について、以下の基準により官能で評価した。その結果も併せて以下の表１に示す。
Ａ：強すぎない（丁度よい）香り
Ｂ：やや強い香り
Ｃ：強すぎる香り又は無香
【００７７】
【表１】
2018102910.tif 000003
【００７８】
表１に示す結果から明らかなとおり、実施例１によれば、各比較例に比べて、いずれの評価においても優れていることがわかった。
【００７９】
次に、以下の試験例１において、尿臭成分に応答する嗅覚受容体の同定を行った。
〔試験例１〕
１）ヒト嗅覚受容体遺伝子のクローニング
ヒト嗅覚受容体はＧｅｎＢａｎｋに登録されている配列情報を基に、ｈｕｍａｎ  ｇｅｎｏｍｉｃ  ＤＮＡ  ｆｅｍａｌｅ（Ｇ１５２１：Ｐｒｏｍｅｇａ）を鋳型としたＰＣＲ法によりクローニングした。ＰＣＲ法により増幅した各遺伝子をｐＥＮＴＲベクター（Ｉｎｖｉｔｒｏｇｅｎ）にマニュアルにしたがって組み込み、ｐＥＮＴＲベクター上に存在するＮｏｔＩ、ＡｓｃＩサイトを利用して、ｐＭＥ１８Ｓベクター上のＦｌａｇ−Ｒｈｏタグ配列の下流に作製したＮｏｔＩ、ＡｓｃＩサイトへと組換えた。
【００８０】
２）ｐＭＥ１８Ｓ−ヒトＲＴＰ１Ｓベクターの作製
ＲＴＰ１Ｓ（配列番号２０）をコードするＲＴＰ１Ｓ遺伝子（配列番号１９）をｐＭＥ１８ＳベクターのＥｃｏＲＩ、ＸｈｏＩサイトへ組み込んだ。
【００８１】
３）嗅覚受容体発現細胞の作製
ヒト嗅覚受容体約４００種をそれぞれ発現させたＨＥＫ２９３細胞を作製した。表２に示す組成の反応液を調製しクリーンベンチ内で１５分静置した後、９６ウェルプレート（ＢＤ）の各ウェルに添加した。次いで、ＨＥＫ２９３細胞（３×１０５細胞／ｃｍ２）を１００μＬずつ各ウェルに播種し、３７℃、５％ＣＯ２を保持したインキュベータ内で２４時間培養した。
【００８２】
【表２】
2018102910.tif 000004
【００８３】
４）ルシフェラーゼアッセイ
ＨＥＫ２９３細胞に発現させた嗅覚受容体は、細胞内在性のＧαｓと共役しアデニル酸シクラーゼを活性化することで、細胞内ｃＡＭＰ量を増加させる。本研究での臭い応答測定には、細胞内ｃＡＭＰ量の増加をホタルルシフェラーゼ遺伝子（ｆｌｕｃ２Ｐ−ＣＲＥ−ｈｙｇｒｏ）由来の発光値としてモニターするルシフェラーゼレポータージーンアッセイを用いた。また、ＣＭＶプロモータ下流にウミシイタケルシフェラーゼ遺伝子を融合させたもの（ｈＲｌｕｃ−ＣＭＶ）を同時に遺伝子導入し、遺伝子導入効率や細胞数の誤差を補正する内部標準として用いた。
上記３）で作製した培養物から、培地を取り除き、ＣＤ２９３培地（Ｉｎｖｉｔｒｏｇｅｎ）で調製した臭い物質（ｐ−クレゾール１ｍＭ、又は２−メトキシ−４‐ビニルフェノール３００μＭ）を含む溶液を７５μＬ添加した。細胞をＣＯ２インキュベータ内で２．５時間培養し、ルシフェラーゼ遺伝子を細胞内で十分に発現させた。ルシフェラーゼの活性測定には、Ｄｕａｌ−ＧｌｏＴＭｌｕｃｉｆｅｒａｓｅ  ａｓｓａｙ  ｓｙｓｔｅｍ（Ｐｒｏｍｅｇａ）を用い、製品の操作マニュアルにしたがって測定を行った。臭い物質刺激により誘導されたホタルルシフェラーゼ由来の発光値を、臭い物質刺激を行わない細胞での発光値で割った値をｆｏｌｄ  ｉｎｃｒｅａｓｅとして算出し、応答強度の指標とした。
【００８４】
５）結果
３８７種類の嗅覚受容体についてｐ−クレゾール１ｍＭに対する応答を測定した結果、ＯＲ２Ｗ１、ＯＲ４Ｓ２、ＯＲ５Ｐ３及びＯＲ９Ｑ２が応答を示した（図５）。これらの嗅覚受容体のｐ−クレゾールに対する応答は、濃度依存的であった（図６）。図５及び図６に示すように、ＯＲ２Ｗ１、ＯＲ４Ｓ２、ＯＲ５Ｐ３及びＯＲ９Ｑ２は、ｐ−クレゾールに応答するｐ−クレゾール受容体であることが判った。したがって、吸収性物品の被覆シートに含む香料として、ＯＲ２Ｗ１、ＯＲ４Ｓ２、ＯＲ５Ｐ３又はＯＲ９Ｑ２のｐ−クレゾール応答を抑制するアンタゴニスト香料を用いることで、尿臭を効果的に抑制し得る吸収性物品を得ることができる。
【００８５】
同様に、４１７種類の嗅覚受容体について２−メトキシ−４−ビニルフェノール３００μＭに対する応答を測定した結果、ＯＲ１Ａ１、ＯＲ２Ｗ１、ＯＲ５Ｋ１、ＯＲ５Ｐ３、ＯＲ８Ｈ１、ＯＲ１０Ｇ４及びＯＲ１０Ｇ７が応答を示した（図７）。これらの嗅覚受容体の２−メトキシ−４−ビニルフェノールに対する応答は、濃度依存的であった（図８）。図７及び図８に示すように、ＯＲ１Ａ１、ＯＲ２Ｗ１、ＯＲ５Ｋ１、ＯＲ５Ｐ３、ＯＲ８Ｈ１、ＯＲ１０Ｇ４及びＯＲ１０Ｇ７は、２−メトキシ−４−ビニルフェノールに応答する２−メトキシ−４−ビニルフェノール受容体であることが判ったしたがって、吸収性物品の被覆シートに含む香料として、ＯＲ１Ａ１、ＯＲ２Ｗ１、ＯＲ５Ｋ１、ＯＲ５Ｐ３、ＯＲ８Ｈ１、ＯＲ１０Ｇ４又はＯＲ１０Ｇ７の２−メトキシ−４−ビニルフェノール応答を抑制するアンタゴニスト香料を用いることで、尿臭を効果的に抑制し得る吸収性物品が得られる。
【００８６】
次に、以下の試験例２によって、嗅覚受容体応答に基づくアンタゴニスト香料の評価を行った。
〔試験例２〕
１）尿臭受容体アンタゴニスト香料の同定
試験例１で同定した尿臭成分に応答する嗅覚受容体（尿臭受容体）のアンタゴニスト香料を探索し、その尿臭抑制作用を評価した。尿臭受容体の例として、ｐ−クレゾール受容体ＯＲ９Ｑ２を用いた。
試験例１と同様の手順でＨＥＫ２９３細胞に発現させたＯＲ９Ｑ２に対して、１００μＭのｐ−クレゾール刺激下で試験物質を適用し、該試験物質による該受容体のｐ−クレゾール応答の抑制作用を調べた。試験物質存在下でのｐ−クレゾールに対するＯＲ９Ｑ２の応答強度は以下のとおり算出した。各種刺激条件について、ホタルルシフェラーゼ由来の発光値をウミシイタケルシフェラーゼ由来の発光値で除した値ｆＬｕｃ／ｈＲｌｕｃを算出した。ｐ−クレゾール単独での臭い刺激により誘導されたｆＬｕｃ／ｈＲｌｕｃ値（Ｘ）を、同じ受容体を導入し刺激を行わなかった細胞でのｆＬｕｃ／ｈＲｌｕｃ値（Ｙ）で引き算し、ｐ−クレゾール単独刺激による受容体活性（Ｘ−Ｙ）を求めた。同様に、ｐ−クレゾールと試験物質との混合物での刺激によるｆＬｕｃ／ｈＲｌｕｃ値（Ｚ）を、刺激を行わない細胞でのｆＬｕｃ／ｈＲｌｕｃ値（Ｙ）で引き算し、試験物質添加時の受容体活性（Ｚ−Ｙ）を求めた。次いで、以下の計算式により、ｐ−クレゾール単独刺激による受容体活性（Ｘ−Ｙ）に対する試験物質添加時の受容体活性（Ｚ−Ｙ）の割合を算出し、試験物質による受容体の応答強度（Ｒｅｓｐｏｎｓｅ％）を求めた。独立した実験を３回行い、各回の実験の平均値を得た。
Ｒｅｓｐｏｎｓｅ（％）＝（Ｚ−Ｙ）／（Ｘ−Ｙ）×１００
【００８７】
試験の結果、Ｎｅｃｔａｒｙｌ（２−（２−（４−メチル−３−シクロヘキセン−１−イル）プロピル）シクロペンタノン）及びＢｏｕｒｇｅｏｎａｌ（３−（４−ｔｅｒｔ−ブチルフェニル）プロピオンアルデヒド）がＯＲ９Ｑ２アンタゴニスト香料であることが判った。これらの物質によるＯＲ９Ｑ２のｐ−クレゾール応答の抑制効果を図９に示す。Ｎｅｃｔａｒｙｌ及びＢｏｕｒｇｅｏｎａｌはいずれも、種々の濃度でＯＲ９Ｑ２のｐ−クレゾール応答を抑制した。したがって、吸収性物品の被覆シートに含まれる香料として、Ｎｅｃｔａｒｙｌ又はＢｏｕｒｇｅｏｎａｌを用いることで、吸収性物品から発生する尿臭によってＯＲ９Ｑ２が応答することを抑制できるので、尿臭を効果的に抑制することができる。
【００８８】
２）アンタゴニスト香料による尿臭抑制能
前記１）で同定したアンタゴニスト香料Ｂｏｕｒｇｅｏｎａｌ及びＮｅｃｔａｒｙｌによる尿臭抑制効果を官能試験により確認した。
尿臭成分として、β−グルクロニダーゼ処理した尿の抽出物を調製した。人尿原液を３７℃で２時間β−グルクロニダーゼ処理し、次に塩酸を用いてｐＨ４程度に調整し、ジクロロメタンで抽出を行った。得られたジクロロメタン相に水酸化ナトリウム水溶液を添加して、酸性成分を水相に移行させて抽出し、中性成分を除去した。得られた水相を、塩酸を用いて酸性とした後、ジエチルエーテルで再抽出を行い、濃縮して抽出物を得た。尿原液８０ｍＬ相当量の抽出物を１ｍＬのエタノールに溶解し、これを尿抽出液とした。この尿抽出液をミネラルオイルで１．２５容量％になるよう希釈したものを尿臭成分として使用した。
Ｂｏｕｒｇｅｏｎａｌ又はＮｅｃｔａｒｙｌをミネラルオイル（Ｓｉｇｍａ）に溶解させて１％（ｖ／ｖ）溶液を調製し、試験物質溶液として用いた。
２０ｍＬ容のガラス瓶（マルエム、Ｎｏ．６）に２つの綿球を入れ、１つの綿球には尿臭成分３０μＬを染み込ませ、もう１つの綿球にはＢｏｕｒｇｅｏｎａｌ又はＮｅｃｔａｒｙｌのいずれかの試験物質溶液３０μＬを染み込ませた。綿球を入れたガラス瓶は蓋をして３７℃で１時間静置した後、臭いサンプルとして官能試験に用いた。基準サンプルとして尿臭成分のみ、対照サンプルとしてミネラルオイルのみ（Ｖｅｈｉｃｌｅ）を準備した。
【００８９】
官能試験は、１０名の評価者により単盲式にて行った。試験は、食後１時間半以上を経過した１４時以降から開始した。臭いの拡散を防ぐため、試験は基本的にドラフト付近で行った。臭いへの順応の影響を排除するため、試験中には適宜、尿臭成分からの尿臭の認知強度を確認させ、必要であれば休憩をとった。評価者を二群に分け、一方の群はＢｏｕｒｇｅｏｎａｌを含む臭いサンプルから、他方の群はＮｅｃｔａｒｙｌを含む臭いサンプルから評価を始めて、２つの試験物質の尿臭抑制効果を評価した。臭いサンプルは、３名の評価者による評価後に新しいものと交換した。
臭いサンプルの評価では、次の５段階の基準「尿臭成分の臭いが、１：わからない、２：感知できる、３：楽にわかる、４：強く感じる、５：耐えられないほど強く感じる」を設定し、尿臭成分単独での尿臭強度を３としたときの各臭いサンプルからの尿臭強度を、１．０から０．５刻みで５．０までの９段階で評価した。
【００９０】
各評価者による官能試験の評価結果の平均値を図１０に示す。ＯＲ９Ｑ２アンタゴニスト香料であるＢｏｕｒｇｅｏｎａｌ及びＮｅｃｔａｒｙｌはいずれも、統計学的に有意な尿臭抑制効果を有していた（Ｗｉｌｃｏｘｏｎ  Ｓｉｎｅｄ−ｒａｎｋ  ｔｅｓｔ、ｐ＜０．０１）。したがって、吸収性物品の被覆シートに含まれる香料として、Ｎｅｃｔａｒｙｌ又はＢｏｕｒｇｅｏｎａｌを用いることで、尿臭によってＯＲ９Ｑ２が応答することを抑制できるので、尿臭を効果的に抑制し得る吸収性物品が得られる。
【符号の説明】
【００９１】
１  吸収性物品
２  表面シート
３  裏面シート
４  吸収体
５  立体ギャザー
６  撥水性シート
７  圧搾溝
１０  粘着剤層
４０  吸収性コア
４１  吸収性コアの高坪量部
４２  吸収性コアの低坪量部
４３，４５  ポリマー非存在領域
４４  被覆シート
４６  空間
５１  凸部
５２Ｘ，５２Ｙ  凹部
６１  弾性部材
６２  立体ギャザーの自由端部
【図１】
2018102910.tif 000005
【図２】
2018102910.tif 000006
【図３】
2018102910.tif 000007
【図４】
2018102910.tif 000008
【図５】
2018102910.tif 000009
【図６】
2018102910.tif 000010
【図７】
2018102910.tif 000011
【図８】
2018102910.tif 000012
【図９】
2018102910.tif 000013
【図１０】
2018102910.tif 000014